【手続補正書】
【提出日】平成18年11月15日(2006.11.15)
【手続補正１】
【補正対象書類名】明細書
【補正対象項目名】特許請求の範囲
【補正方法】変更
【補正の内容】
【特許請求の範囲】
【請求項１】
ネットワークに接続されたネットワークデバイスを管理するネットワークデバイスの管理装置であって、
前記ネットワークデバイスの稼働状態を表す状態情報を提供する提供場所又は該状態情報を保管する保管場所を示す場所情報を記憶する記憶手段と、
前記記憶手段から、前記場所情報を取得し、取得した前記場所情報を含む電子メールを作成する電子メール作成手段と、
前記電子メール作成手段により作成された前記電子メールを予め設定された宛先に送信する送信手段と、
を備えるネットワークデバイスの管理装置。
【請求項２】
前記状態情報を前記提供場所又は保管場所において提供する提供手段をさらに備えることを特徴とする請求項１に記載のネットワークデバイスの管理装置。
【請求項３】
前記提供手段は、Ｗｅｂブラウザで表示可能な形式にて前記状態情報を提供するＷｅｂアプリケーション又はＷｅｂサーバであることを特徴とする請求項２に記載のネットワークデバイスの管理装置。
【請求項４】
前記ネットワークデバイスの稼動状態を監視する監視手段をさらに備え、
前記提供手段は、前記監視手段における監視結果を前記状態情報として提供することを特徴とする請求項２又は３に記載のネットワークデバイスの管理装置。
【請求項５】
前記記憶手段は、それぞれ異なる複数の前記場所情報を記憶し、
前記複数の場所情報は、それぞれ、前記ネットワークデバイスの複数の稼動状態のそれぞれに対応していることを特徴とする請求項１乃至請求項４のいずれか１項に記載のネットワークデバイスの管理装置。
【請求項６】
前記記憶手段は、前記場所情報と前記ネットワークデバイスの複数の稼動状態との対応関係を記述したテーブル、リスト又はデータベースを記憶していることを特徴とする請求項５に記載のネットワークデバイスの管理装置。
【請求項７】
前記ネットワークデバイスの稼動状態に基づいて、該稼動状態に対応する前記状態情報の提供場所又は保管場所を示す前記場所情報を認識する認識手段を備え、
前記電子メール作成手段は、前記認識手段により認識された場所情報を含む電子メールを作成することを特徴とする請求項５又は請求項６に記載のネットワークデバイスの管理装置。
【請求項８】
前記場所情報は、前記状態情報を提供するサイトのネットワーク上のアドレスであることを特徴とする請求項１乃至請求項７の何れか１項に記載のネットワークデバイスの管理装置。
【請求項９】
前記ネットワーク上のアドレスとは、ＵＲＬアドレス又はＩＰアドレスであることを特徴とする請求項８に記載のネットワークデバイスの管理装置。
【請求項１０】
前記ネットワークデバイスの管理装置は、前記ネットワークデバイスの内部に実装されることを特徴とする請求項１乃至請求項９の何れか１項に記載のネットワークデバイスの管理装置。
【請求項１１】
前記ネットワークデバイスの管理装置は、前記ネットワークデバイスの外部に接続された情報処理装置により構成されることを特徴とする請求項１乃至請求項９の何れか１項に記載のネットワークデバイスの管理装置。
【請求項１２】
前記提供手段は、前記ネットワークデバイスの外部に接続された情報処理装置により構成されることを特徴とする請求項２又は請求項３に記載のネットワークデバイスの管理装置。
【請求項１３】
ネットワークに接続されたネットワークデバイスを管理するネットワークデバイスの管理方法であって、
取得手段により、前記ネットワークデバイスの稼働状態を表す状態情報を提供する提供場所又は該状態情報を保管する保管場所を示す場所情報を取得する取得ステップと、
電子メール作成手段により、前記取得のステップにおいて取得された前記場所情報を含む電子メールを作成する電子メール作成ステップと、
送信手段により、前記電子メール作成ステップにより作成された前記電子メールを予め設定された宛先に送信する送信ステップと、
を備えるネットワークデバイスの管理方法。
【請求項１４】
提供手段により、前記提供場所又は保管場所において、前記状態情報を提供する提供ステップをさらに備えることを特徴とする請求項１３に記載のネットワークデバイスの管理方法。
【請求項１５】
前記提供ステップは、前記提供手段により、Ｗｅｂブラウザで表示可能な形式にて前記状態情報を提供するステップであることを特徴とする請求項１４に記載のネットワークデバイスの管理方法。
【請求項１６】
監視手段により、前記ネットワークデバイスの稼動状態を監視する監視ステップをさらに備え、
前記提供ステップにおいて、前記提供手段により、前記監視ステップにおける監視結果を前記状態情報として提供することを特徴とする請求項１４又は請求項１５に記載のネットワークデバイスの管理方法。
【請求項１７】
前記取得ステップは、前記取得手段により、それぞれ異なる複数の前記場所情報を取得するステップであり、
前記複数の場所情報は、それぞれ、前記ネットワークデバイスの複数の稼動状態に対応していることを特徴とする請求項１３乃至請求項１６の何れか１項に記載のネットワークデバイスの管理方法。
【請求項１８】
前記取得ステップは、
前記場所情報と、前記ネットワークデバイスの複数の稼動状態との対応関係を記述したテーブル、リスト又はデータベースから、前記場所情報を、前記取得手段により、取得するステップであることを特徴とする請求項１７に記載のネットワークデバイスの管理方法。
【請求項１９】
前記取得ステップには、
認識手段により、前記ネットワークデバイスの稼動状態に基づいて、該稼動状態に対応する前記状態情報の提供場所又は保管場所を示す前記場所情報を認識する認識ステップが含まれ、
前記電子メール作成ステップは、前記電子メール作成手段により、前記認識ステップにおいて認識された前記場所情報を含む電子メールを作成することを特徴とする請求項１７又は請求項１８に記載のネットワークデバイスの管理方法。
【請求項２０】
前記場所情報は、前記ネットワークデバイスに関する情報を提供するサイトのネットワーク上のアドレスであることを特徴とする請求項１３乃至請求項１９の何れか１項に記載のネットワークデバイスの管理方法。
【請求項２１】
前記ネットワーク上のアドレスとは、ＵＲＬアドレス又はＩＰアドレスであることを特徴とする請求項２０に記載のネットワークデバイスの管理方法。
【請求項２２】
前記ネットワークデバイスの管理方法は、前記ネットワークデバイスの内部に実装される管理回路により実行されることを特徴とする請求項１３乃至請求項２１の何れか１項に記載のネットワークデバイスの管理方法。
【請求項２３】
前記ネットワークデバイスの管理方法は、前記ネットワークデバイスの外部に接続された情報処理装置により実行されることを特徴とする請求項１３乃至請求項２１の何れか１項に記載のネットワークデバイスの管理方法。
【請求項２４】
前記提供ステップは、前記提供手段として機能する、ネットワークデバイスの外部に接続された情報処理装置により実行されることを特徴とする請求項１４又は請求項１５に記載のネットワークデバイスの管理方法。
【請求項２５】
請求項１乃至請求項１２のいずれか１項に記載された前記手段のすべてをコンピュータに機能させるためのネットワークデバイスの管理プログラム。
【請求項２６】
請求項１３乃至請求項２４のいずれか１項に記載された前記ステップのそれぞれをコンピュータに実行させるためのネットワークデバイスの管理プログラム。
【請求項２７】
前記ネットワークデバイスの管理プログラムは、複数のソフトウエアからなり、単一のコンピュータ上で実行されるか、あるいは、複数のコンピュータ上で分散的に実行されることを特徴とする請求項２５又は請求項２６に記載のネットワークデバイスの管理プログラム。
【手続補正２】
【補正対象書類名】明細書
【補正対象項目名】００２０
【補正方法】変更
【補正の内容】
【００２０】
【課題を解決するための手段】
本願発明は、上記課題を解決すべく、
ネットワークに接続されたネットワークデバイスを管理するネットワークデバイスの管理装置であって、
前記ネットワークデバイスの稼働状態を表す状態情報を提供する提供場所又は該状態情報を保管する保管場所を示す場所情報を記憶する記憶手段と、
前記記憶手段から、前記場所情報を取得し、取得した前記場所情報を含む電子メールを作成する電子メール作成手段と、
前記電子メール作成手段により作成された前記電子メールを予め設定された宛先に送信する送信手段と、
を備えるネットワークデバイスの管理装置を提供することを目的とする。この構成により、ユーザは、ネットワークデバイスに関する情報の提供場所等を電子メールによって知ることが可能となり、その後の必要な操作の手間も省けることになる。
【手続補正３】
【補正対象書類名】明細書
【補正対象項目名】００３４
【補正方法】変更
【補正の内容】
【００３４】
本実施形態に係るネットワークデバイス管理用のプログラム（以下、単に管理プログラムと称す。）は、これらのネットワークデバイス上で実行されてもよいし、もちろん、外部のＰＣ１１１や１１３上で実行されてもよい。管理プログラムをネットワークデバイス上で実行する場合は、各ネットワークデバイス上のそれぞれで実行されてもよいし、極端な例では、任意の１つのネットワークデバイス上で実行され、自己だけでなく他のネットワークデバイスの管理をも行うようにしてもよい。管理プログラムの主な機能は、ネットワークデバイス１０１〜１０５で発生しているエラーを電子メールで通知することである。
【手続補正４】
【補正対象書類名】明細書
【補正対象項目名】００３７
【補正方法】変更
【補正の内容】
【００３７】
２０３はＲＡＭで、ＣＰＵ２０１の主メモリ、ワークエリア等として機能する。２０５はキーボードコントローラ（ＫＢＣ）で、キーボード（ＫＢ）２０９やポインティングデバイス（不図示）等からの指示入力を制御する。２０６はＣＲＴコントローラ（ＣＲＴＣ）で、ＣＲＴディスプレイ（ＣＲＴ）２１０の表示を制御する。２０７はディスクコントローラ（ＤＫＣ）で、ＣＤ−ＲＯＭ（不図示）、ハードディスク（ＨＤ）２１１やフレキシブルディスクドライブ（ＦＤ）２１２などの記憶装置へのアクセスを制御するものである。ハードディスク（ＨＤ）２１１およびフレキシブルディスクドライブ（ＦＤ）２１２等には、ブートプログラム、種々のアプリケーション、編集ファイル、ユーザファイルそしてネットワーク管理プログラム等を記憶している。２０８はネットワークインタフェースカード（ＮＩＣ）で、ＬＡＮ２２０を介して、ネットワークプリンタ、他のネットワークデバイスあるいは他のＰＣと双方向にデータをやりとりするための通信装置である。なお、本実施形態においては、ＬＡＮ２２０は図１におけるＬＡＮ１００と同じものである。
【手続補正５】
【補正対象書類名】明細書
【補正対象項目名】００５３
【補正方法】変更
【補正の内容】
【００５３】
管理対象デバイスからのＧｅｔＲｅｓｐｏｎｓｅパケットを受信し、受信されたＧｅｔＲｅｓｐｏｎｓｅパケットに含まれているＭＩＢオブジェクトの値をチェックし、その結果、いずれかのネットワークデバイスにエラーが発生していると判断すると、ステップＳ４０４に進み、エラーが発生しているネットワークデバイスの情報や状態を表示可能なＷｅｂアプリケーションのＵＲＬアドレスを取得する。具体的には、エラーの問い合わせに対して、ネットワークデバイスは、エラーに関する情報とともに、ＩＰアドレスなど、自己を特定するのに役立つ識別情報を送信してくる。そこで、この識別情報に基づいて、図５に示すテーブルを参照し、対応するＵＲＬを取得する。なお、図５に示すテーブルは、ＲＡＭ２０３やＨＤＤ２１１等の記憶装置に予め記憶しておくものとする。
【手続補正６】
【補正対象書類名】明細書
【補正対象項目名】００５４
【補正方法】変更
【補正の内容】
【００５４】
図５は、ネットワークデバイスの識別情報と対応するＵＲＬの関係を示すテーブルを示している。もちろんデータの形式は、テーブルに限られるものではない。要するに、ネットワークデバイスの識別情報に対するＵＲＬが取得できるものであればいかなるデータ形式であってもよいのである。図５に示す例では、識別情報５０１としてネットワークデバイスのＩＰアドレスを採用した例である。もちろん、ネットワークデバイスのネット上での名称であってもよい。ＵＲＬ５０２は、ネットワークデバイスに関する情報を提供しているサイト（Ｗｅｂアプリケーション）を示すアドレスである。ＵＲＬアドレスの名づけ方は、図５に示すように任意に可能である。
【手続補正７】
【補正対象書類名】明細書
【補正対象項目名】００６５
【補正方法】変更
【補正の内容】
【００６５】
図７に、管理プログラムのモジュール構造を示す。ここで、ネットワークデバイスを管理する仕組みを実現するための図７の各モジュール７０１乃至７０８が、外部記憶装置１２０６に記憶されているものとする。各モジュールは、外部記憶装置１２０６から読み出され、コア部１２１０により実行される。エラー監視モジュール７０１は、ネットワークデバイスにエラーが発生していないかを監視するモジュールである。例えば、エラーが発生すると、どのようなエラーが発生したかをエラーコード等として他のモジュール７０２や７０７に出力する。
【手続補正８】
【補正対象書類名】明細書
【補正対象項目名】００７１
【補正方法】変更
【補正の内容】
【００７１】
図８は、通知される電子メールデータの例である。図８の電子メールデータは、ネットワークデバイス１０１から１０５の内部でＷｅｂアプリケーションが実行されている場合のものである。
【手続補正９】
【補正対象書類名】明細書
【補正対象項目名】００７８
【補正方法】変更
【補正の内容】
【００７８】
次のステップＳ４０５では、ステップＳ４０２でＲＡＭ２０３に格納されたＭＡＣアドレス等のデバイス情報、ステップＳ４０４で取得したＵＲＬアドレスを参照するとともに、ステップＳ９０１で検出したエラーカテゴリーをエラーメッセージに変換して、予め設定された宛先に対する電子メールデータを作成する。
【手続補正１０】
【補正対象書類名】明細書
【補正対象項目名】００８１
【補正方法】変更
【補正の内容】
【００８１】
本実施形態では、以上の構成により、エラーカテゴリーの違いに応じて、それぞれ異なるＵＲＬアドレスを電子メールにて提供することが可能となる。